(57)【要約】【課題】接点の情報のバイナリーデータを通信に影響を与えることなく、かつ取扱を容易にして送信することが可能なマージングユニットを提供する。【解決手段】マージングユニットは、電力系統から取得される信号を処理して電力系統の状態を示すデジタルデータを出力する処理部と、外部装置との間で通信回線を介して通信する通信部とを備える。処理部は、電力系統の電流または電圧の時系列のアナログ信号を、デジタルデータに変換する第１変換部と、電力系統の接点の情報である少なくとも１つの接点信号を所定ビットの信号組データに変換する第２変換部と、第１変換部により変換されたデジタルデータを送信するための所定フォーマットに対して、デジタルデータと同様の形式で第２変換部による信号組データを含めた送信データを生成する送信データ生成部とを含み、通信部は、通信回線を介して外部装置に対して送信データを送信する。【選択図】図２
2014166091.tif 000002
【特許請求の範囲】
【請求項１】
電力系統から少なくとも電流または電圧の情報および接点の情報を収集するマージングユニットであって、
前記電力系統から取得される信号を処理して電力系統の状態を示すデジタルデータを出力する処理部と、
外部装置との間で通信回線を介して通信する通信部とを備え、
前記処理部は、
前記電力系統の電流または電圧の時系列のアナログ信号を、デジタルデータに変換する第１変換部と、
前記電力系統の接点の情報である少なくとも１つの接点信号を所定ビットの信号組データに変換する第２変換部と、
前記第１変換部により変換された前記デジタルデータを送信するための所定フォーマットに対して、前記デジタルデータと同様の形式で前記第２変換部による前記信号組データを含めた送信データを生成する送信データ生成部とを含み、
前記通信部は、前記通信回線を介して前記外部装置に対して前記送信データを送信する、マージングユニット。
【請求項２】
前記第２変換部は、前記接点信号に関して前記信号組データに変換して前記送信データに含める方式に関連する変換情報を生成する変換情報生成部を有し、
前記通信部は、前記通信回線を介して前記変換情報を前記外部装置に対して送信する、請求項１に記載のマージングユニット。
【請求項３】
前記通信部は、前記接点信号に関して前記信号組データに変換して前記送信データに含める方式に関連する変換情報を前記外部装置から受付け、
前記処理部は、前記通信部で受付けた前記変換情報に基づいて前記接点信号に関して前記信号組データに変換して前記送信データに含める方式のパラメータを設定する設定部をさらに含む、請求項１記載のマージングユニット。
【請求項４】
電力系統を保護する保護制御システムであって、
電力系統の送電線の電路を制御するための少なくとも１つの開閉器と、
前記電力系統から少なくとも電流または電圧の情報および前記少なくとも１つの開閉器の接点の情報を収集するマージングユニットと、
前記マージングユニットからのデータを受けて前記遮断機を制御するための演算装置とを備え、
前記マージングユニットは、
前記電力系統から取得される信号を処理して電力系統の状態を示すデジタルデータを出力する処理部と、
外部装置との間で通信回線を介して通信する通信部とを含み、
前記処理部は、
前記電力系統の電流または電圧の時系列のアナログ信号を、デジタルデータに変換する第１変換部と、
前記電力系統の接点の情報である少なくとも１つの接点信号を所定ビットの信号組データに変換する第２変換部と、
前記第１変換部により変換された前記デジタルデータを送信するための所定フォーマットに対して、前記デジタルデータと同様の形式で前記第２変換部による前記信号組データを含めた送信データを生成する送信データ生成部とを含み、
前記通信部は、前記通信回線を介して前記外部装置に対して前記送信データを送信し、
前記演算装置は、前記少なくとも１つの開閉器が前記マージングユニットに接続される接続情報に基づいて前記送信データに含まれる前記信号組データから接点信号の状態を取得する、保護制御システム。
【発明の詳細な説明】
【技術分野】
【０００１】
本発明は、電力系統から少なくとも電流または電圧の情報を収集するマージングユニットおよび保護制御システムに関する。
【背景技術】
【０００２】
従来より、電力系統から電流や電圧などの情報を収集するとともに、電力系統や電力設備に故障が発生した場合に、当該故障を検知するとともに、当該故障を電力系統から切り離すために、保護リレー装置が用いられている。
【０００３】
例えば、従来のデジタル型の保護リレー装置は、入力される電流信号や電圧信号（アナログ信号）をＡ／Ｄ変換（アナログ／デジタル変換：Analog to Digital）した上で、それによって生成されたデジタル波形データを用いて保護リレー演算などの必要な演算を実行し、系統事故の発生を検出する。
【０００４】
一方で、近年の情報通信技術の進歩に伴って、電力系統に係る設備についてもネットワーク化が進んでいる。このようなネットワーク化の一つとして、分散型の保護制御システムが実用化されている。分散型の保護制御システムは、従来の保護リレー装置を機能的に分散させたものであり、典型的には、電力系統から電流や電圧などの情報を収集する１つまたは複数のマージングユニットが設けられる。
【０００５】
このマージングユニットは、入力される電流信号や電圧信号（アナログ信号）からＡ／Ｄ変換によりデジタル信号を生成し、さらに生成されたデジタル信号をシリアルデータに変換して、通信回線を介して出力する。系統事故の発生などの判定は、その通信回線を介して接続された演算装置であるインテリジェント電子装置（ＩＥＤ（Intelligent Electric Device））（以降、ＩＥＤとも称する）が、そのシリアルデータに基づいて実行する。
【０００６】
この点で種々の方式が提案されており、例えば、特許文献１および２には、通信回線に系統に接続される各種機器の接点信号であるバイナリーデータ（例えば、０：接点  開、１：接点  閉  の２値データ）を電流、電圧情報と共に収集して出力するマージングユニットに対応する装置も提案されているが、具体的な出力方式については何ら示されていない。
【０００７】
このマージングユニットがＩＥＤへ送信するシリアルデータの通信規格のプロトコルとしてはIEC61850-9-2で規定されているが、この中では電流、電圧情報については規定されているが、接点信号であるバイナリーデータをＩＥＤへ送信する規定については言及されていない。
【０００８】
この点で、従来より接点信号であるバイナリーデータは、一般のオブジェクト指向システムイベントであるメッセージ形式のGoose（Generic Object Oriented Substation Event）信号で送信するよう構成されている。これは、接点情報は、常時瞬時値が変化する電流、電圧情報に比較して状態の変化の頻度が異なるためであり、必要に応じてつまり接点情報が変化した場合に送信する構成が採られている。
【先行技術文献】
【特許文献】
【０００９】
【特許文献１】特開２００２−３１５２３３号公報の段落０１４４
【特許文献２】特開２００８−６７５９５号公報の段落００２６、００２９
【非特許文献】
【００１０】
【非特許文献１】IMPRLEMENTATION  GUIDELINE  FOR  DIGITAL  INTERFACE  TO  INSTRUMENT  TRANSFORMERS  USING  IEC61850-9-2,UCA  International  Users  Group  2004-07-07
【発明の概要】
【発明が解決しようとする課題】
【００１１】
しかしながら、接点信号であるバイナリーデータをGoose信号で送信する場合、上述したように接点情報が変化（イベントが発生）した時にその変化情報を送信するように構成されているため、Goose信号を受信したＩＥＤ側で、その変化情報をラッチ（記憶）してステータス（状態）信号に変換する必要が発生する。そして、この情報は、ＩＥＤ側が電源オフした場合に再送されることはないため、電源オフする前にＩＥＤ側の不揮発性メモリに保存する必要がある。すなわち、ラッチした情報が消えないようにオンした際にその記憶したデータを読み出せるような配慮が必要となるため情報の取扱が複雑になる可能性がある。
【００１２】
また、多くの接点情報を取り入れる必要のある装置、具体的には、母線保護用ＩＥＤ等のような特定のＩＥＤには、母線に接続される回線数、或いはそれ以上の複数のマージングユニットが接続され、当該ＩＥＤに情報が送信される。この場合、母線に接続される線路に設置される遮断器等の接点情報の変化はほぼ同時に多数の地点で発生し、これら複数のマージングユニットからほぼ同時にGoose信号が送信される。つまり、複数のマージングユニットからの電流、電圧情報に加えて、複数の遮断器等の接点の変化情報が、Goose信号として特定のＩＥＤへ伝送されるので、急激な通信負荷の変動に伴う通信トラフィック上の問題（伝送上、信号到達までの時間に遅れが生じるなど）も発生する可能性がある。
【００１３】
本発明は、上記のような問題を解決するためになされたもので、接点の情報のバイナリーデータを通信に大きな影響を与えることなく、かつ取扱を容易にして送信することが可能なマージングユニットおよび保護制御システムを提供することを目的とする。
【課題を解決するための手段】
【００１４】
一実施例によれば、ある局面に従う電力系統から少なくとも電流または電圧の情報および接点の情報を収集するマージングユニットであって、電力系統から取得される信号を処理して電力系統の状態を示すデジタルデータを出力する処理部と、外部装置との間で通信回線を介して通信する通信部とを備える。処理部は、電力系統の電流または電圧の時系列のアナログ信号を、デジタルデータに変換する第１変換部と、電力系統の接点の情報である少なくとも１つの接点信号を所定ビットの信号組データに変換する第２変換部と、第１変換部により変換されたデジタルデータを送信するための所定フォーマットに対して、デジタルデータと同様の形式で第２変換部による信号組データを含めた送信データを生成する送信データ生成部とを含み、通信部は、通信回線を介して外部装置に対して送信データを送信する。
【発明の効果】
【００１５】
一実施例によれば、接点の情報のバイナリーデータを通信に大きな影響を与えることなく、かつ取扱を容易にして送信することが可能である。
【図面の簡単な説明】
【００１６】
【図１】本実施の形態に従うマージングユニットを含む保護制御システムの全体構成を示す模式図である。
【図２】本実施の形態１に従うマージングユニット１０の構成図である。
【図３】本実施の形態１に従う伝送用データ５０のフレーム構造を説明する図である。
【図４】本実施の形態１に従うＡＰＤＵ５９のデータ構造の一例を説明する図である。
【図５】本実施の形態２に従うマージングユニット１０Ａの構成図である。
【図６】本実施の形態２に従うＩＥＤ２０の変換情報の取得処理を説明するフロー図である。
【図７】本実施の形態２に従う変換情報のデータを説明する図である。
【図８】本実施の形態２の変形例に従うマージングユニット１０Ｂの構成図である。
【図９】本実施の形態３に従うシステム構成の設計の概念を説明する図である。
【図１０】本実施の形態３に従う設定装置７０の構成を示す模式図である。
【図１１】本実施の形態３に従うＭＵ接続設定ファイルを生成するための設定ツールを実行した場合にディスプレイ３０８に表示された設定ツール画面の一例である。
【図１２】図１１の設定ツール画面において設定された開閉器とマージングユニット（ＭＵ）との接続関係を規定したＭＵ接続設定ファイル７４を説明する図である。
【発明を実施するための形態】
【００１７】
本実施の形態について、以下、図面を参照しながら説明する。実施の形態の説明において、個数および量などに言及する場合、特に記載がある場合を除き、本発明の範囲は必ずしもその個数およびその量などに限定されない。実施の形態の説明において、同一の部品および相当部品に対しては、同一の参照番号を付し、重複する説明は繰り返さない場合がある。特に制限が無い限り、実施の形態に示す構成に示す構成を適宜組み合わせて用いることは、当初から予定されていることである。
【００１８】
［１．実施の形態１]
［１．１  全体システム構成］
図１は、本実施の形態に従うマージングユニットを含む保護制御システムの全体構成を示す模式図である。
【００１９】
図１を参照して、保護制御システム１は、変電所や配電所等に設けられ、電力系統の情報を収集するとともに、収集した情報に基づいて、電力系統の保護、制御、監視等の処理を実行する。より具体的には、保護制御システム１は、電力系統から電流や電圧などの情報を収集する複数のマージングユニット１０−１〜１０−５（以下、「マージングユニット１０」と総称する場合もある。）と、電力系統の保護、制御、監視するための複数の演算装置（Intelligent Electric Device：以下「ＩＥＤ」とも称す。）２０−１〜２０−Ｎ（以下、「ＩＥＤ２０」と総称する場合もある。）とを含む。
【００２０】
一般的に、保護制御システム１においては、用途（例えば、保護の対象や制御の対象毎）に応じて複数のＩＥＤ２０が配置される。このような用途別のＩＥＤとしては、例えば、各保護対象別の保護機能を実現する保護ＩＥＤ（例えば、母線保護ＩＥＤ、変圧器保護ＩＥＤや各線路別の線路保護ＩＥＤなど）や、制御機能を実現する制御ＩＥＤが挙げられる。
【００２１】
マージングユニット１０−１〜１０−５とＩＥＤ２０−１〜２０−Ｎとの間は、所定のプロトコルに従ったプロセスバス４２を介して、物理的に互いにデータ通信可能になっている。プロセスバス４２は、電気信号によりデータを伝送する構成であっても良いが、本実施の形態においては、光ファイバを用いて光信号によるシリアルデータを伝送する構成とする。ステーションバス４４も光ファイバを用いて光信号によるシリアルデータを伝送する構成であるが、プロセスバス４２と伝送プロトコルは異なる。
【００２２】
各マージングユニット１０は、収集した電力系統からの情報を対応のＩＥＤ２０へ送出する。
【００２３】
ＩＥＤ２０は、それぞれのマージングユニット１０からの情報に基づいて、電力系統の保護、制御、監視等の処理を実行する。
【００２４】
より具体的には、ＩＥＤ２０は、保護機能の一例として、予め設定されたリレー演算ロジックが成立するかを所定周期で判断するとともに、リレー演算ロジックが成立すると、対応する遮断器に対してトリップ信号を出力する。このトリップ信号は、プロセスバス４２を介して伝送されてもよい。あるいは、ステーションバス４４を介して伝送するようにすることも可能である。
【００２５】
また、ＩＥＤ２０は、制御機能の一例として、電力系統における開閉器の投入／開放などの指令を出力することもできる。なお、本明細書において開閉器は、遮断器および断路器等を含む概念である。
【００２６】
さらに、ＩＥＤ２０は、監視機能の一例として、電力系統の電流、電圧などの状態をリアルタイムで出力することもできる。また、ＩＥＤ２０は、ステーションバス４４を介して、変電所自動化システム（Substation Automation System：ＳＡＳ）装置４６および遠方監視制御装置２８と接続される。
【００２７】
ＩＥＤ２０は、変電所自動化システム装置４６へ電力系統の情報を出力することもでき、また、遠方監視制御装置２８を介して、対象の電力設備から離れた遠方制御所２９へ電力系統の情報を出力することもできる。例えば、ＩＥＤ２０は、上記リレー演算ロジックが成立した時を示す時刻データ、すなわち事故等の異常を検出した時を示す時刻データを図示しないタイマから取得し、当該時刻データが付与された事故検出信号を、ステーションバス４４を介して変電所自動化システム装置４６や遠方監視制御装置２８に送信することが可能である。
【００２８】
さらに、ＩＥＤ２０には、上述した処理以外の任意の処理を実装することもできる。例えば、ＩＥＤ２０を用いて、変電所自動化システム装置４６に相当する機能を実現してもよい。
【００２９】
また、マージングユニット１０は、ステーションバス４４とも接続され、ステーションバス４４を介して、変電所自動化システム装置４６や遠方監視制御装置２８とデータ通信可能に構成されている。
【００３０】
図１には、電力設備の一例として、電力系統を構成する電力送電線２を介して変圧器３の一次側へ電力が供給され、変圧器３によって電圧変換（降圧）されて得られた電力が供給線４を介して、母線５へ供給される構成を示す。母線５には、複数の配電線が接続されており、それぞれの配電線を介して負荷へ電力が供給される。保護制御システム１は、このような電力設備を保護、制御、監視する。
【００３１】
具体的には、電力送電線２には、開閉器の一種である遮断器６−１が設けられるとともに、変流器（Current Transformer：ＣＴ）７−１（以下、総称して変流器７とも称する）および計器用変圧器（Potential Transformer：ＰＴ／Voltage Transformer：ＶＴ）８−１（以下、総称して変圧器８とも称する）が設けられている。変流器７−１は、電力送電線２を流れる電流の情報（電流波形）を測定する。計器用変圧器８−１は、電力送電線２に生じる電圧の情報（電圧波形）を測定する。変流器７−１および計器用変圧器８−１のそれぞれが測定した情報は、マージングユニット１０−１へ入力される。さらに、遮断器６−１のバイナリーデータ（２値信号）である接点情報は、マージングユニット１０−１へ入力される。バイナリーデータとしては、０：接点  開、１：接点  閉  の２値データである。すなわち、マージングユニット１０−１は、電力送電線２を流れる電流の情報および電力送電線２に生じる電圧の情報ならびに電力送電線２に設けられた遮断器６等の開閉器の接点情報を収集する。なお、ここでは、遮断器の構成しか図示していないが断路器等、種々の開閉器が電力送電線に設けられる。
【００３２】
同様に、供給線４には、遮断器６−２が設けられるとともに、変流器７−２および計器用変圧器８−２が設けられている。変流器７−２および計器用変圧器８−２のそれぞれが測定した情報は、マージングユニット１０−２へ入力される。そして、遮断器６−２の接点情報もマージングユニット１０−２へ入力される。
【００３３】
母線５には、複数の配電線が接続されており、それぞれの配電線には、遮断器６−３，６−４，６−５が設けられるとともに、対応する負荷または途中の配電経路での故障を検知できるように、変流器７−３，７−４，７−５および計器用変圧器８−３，８−４，８−５がそれぞれ設けられている。変流器７−３，７−４，７−５および計器用変圧器８−３，８−４，８−５の各々が測定した情報は、配電線毎にマージングユニット１０−３〜１０−５へそれぞれ入力される。また、遮断器６−３〜６−５の接点情報についてもマージングユニット１０−３〜１０−５へそれぞれ入力される。すなわち、マージングユニット１０−３〜１０−５は、母線５に接続される各配電線を流れる電流の情報および各配電線に生じる電圧の情報ならびに各配線電に設けられた遮断器６等の開閉器の接点情報を収集する。
【００３４】
［１．２  マージングユニットの構成］
次に、本実施の形態に従うマージングユニット１０の構成について説明する。
【００３５】
図２は、本実施の形態１に従うマージングユニット１０の構成図である。
図２を参照して、マージングユニット１０には、電力送電線や母線などに設けられた変流器７および／または計器用変圧器８からの２次電流、電圧値（アナログ信号）がマージングユニット１０へ入力される。また、電力送電線や母線などに設けられた遮断器６の接点信号（バイナリーデータ（デジタル信号））がマージングユニット１０へ入力される。
【００３６】
マージングユニット１０は、通常、Ｂａｙ（Ｂａｙ：例えば、ＧＩＳ（Gas Insulated Substation）では支柱などで分離される区画を示す）単位に設置され、電力系統の電流情報および／または電圧情報ならびに接点情報を収集し、収集した情報を示すデジタルデータを対応するＩＥＤ２０へ外部出力する。すなわち、電力系統の保護、制御、監視等に必要な情報は、マージングユニット１０で集合される。このデジタルデータとしては、典型的には、測定値等をサンプリング時間毎に直列に並べたシリアルデータが用いられる。言い換えれば、マージングユニット１０は、電力系統の電流波形信号および／または電圧波形信号を入力とし、デジタル変換後にシリアルデータとして通信回線（プロセスバス４２）を介して出力する。さらに本例においては、電流波形信号および／または電圧波形信号とともに、電力系統の接点信号を入力とし、所定の処理を施した後にシリアルデータとして通信回線（プロセスバス４２）を介して出力する。
【００３７】
具体的には、マージングユニット１０は、電力系統の変流器７または計器用変圧器８からの電流波形または電圧波形アナログ信号等をデジタルデータに変換するとともに接点信号であるバイナリーデータの入力を受ける入力処理部、データ処理部１５、および対応のＩＥＤ２０などとデータ，信号を送受信するための通信部を備える。
【００３８】
データ処理部１５は、入力処理部からの電流波形または電圧波形ならびに接点信号であるデジタルデータを処理して電力系統の状態を示すデータを出力する。
【００３９】
入力処理部は、変流器７または計器用変圧器８からのアナログ信号に関して、マージングユニット１０と外部回路とを電気的に絶縁し、内部回路の適切な電圧信号に変換する機能を有する複数の入力変換回路１１（１１−１〜１１−ｎ、ｎは入力変換回路のチャネル数）、各入力変換回路１１に対応のアナログフィルタ回路１２（１２−１〜１２−ｎ）、各アナログフィルタ回路１２の信号を入力し、切替えながら出力側に導出するマルチプレクサ回路１３、およびマルチプレクサ回路１３からのアナログ信号をデジタルデータに変換して出力するＡＤ（Analog to Digital）変換回路１４を含む。
【００４０】
各入力変換回路１１は、変流器７または計器用変圧器８からの情報、すなわち電流波形または電圧波形のアナログ信号を入力し、マージングユニット１０内部の適当な内部信号に変換した後に、対応のアナログフィルタ回路１２に出力する。各アナログフィルタ回路１２は、対応の入力変換回路１１からの電流信号または電圧信号を、その高周波成分を除去した後に、マルチプレクサ回路１３に出力する。
【００４１】
マルチプレクサ回路１３は、複数のアナログフィルタ回路１２に対応して複数の入力チャネルを有し、切替信号に従って入力チャネル数分、順番に入力を切替え、切替えにより選択された１チャネルからのアナログ信号をＡＤ変換回路１４に出力する。
【００４２】
ＡＤ変換回路１４は、入力するアナログ信号（電流または電圧の波形信号）を、サンプリング信号に従いデジタルデータに変換し、データ処理部１５に出力する。
【００４３】
マルチプレクサ回路１３の入力チャネルの切替周期を決定する切替信号およびＡＤ変換回路１４のサンプリング周期を決定するサンプリング信号は、データ処理部１５からマルチプレクサ回路１３およびＡＤ変換回路１４のそれぞれに与えられる。
【００４４】
また、入力処理部は、遮断器６からの接点信号であるバイナリーデータ（デジタル信号）に関して、マージングユニット１０と外部回路とを絶縁する機能を有する複数のデジタル入力を受けるデジタル入力インタフェース（ＤＩＦ）回路１９（１９−１〜１９−ｐ）をさらに含む。
【００４５】
各ＤＩＦ回路１９は、遮断器６からの接点情報、すなわち接点信号であるバイナリーデータを入力し、マージングユニット１０内部回路とを電気的に絶縁し、適当な内部信号に変換した後に、データ処理部１５に出力する。
【００４６】
次に、データ処理部１５の構成について説明する。
データ処理部１５は、アナログデータ処理回路２０、メモリ２１、伝送フォーマット化回路２２、サンプリング信号生成回路２３、データ取得回路２５およびビット／ワード変換回路２６を含む。
【００４７】
アナログデータ処理回路２０は、入力処理部からの電流または電圧のデジタルデータに関して、当該入力処理部で生じる誤差の補正処理や所定のプロトコルで規定される１ｄｉｇｉｔ当たりの電流、電圧値への変換処理（例えば、１０ｍＶ／１ｄｉｇｉｔ、１ｍＡ／１ｄｉｇｉｔ）等を実行してメモリ２１に格納する。
【００４８】
データ取得回路２５は、入力処理部からの接点信号であるバイナリーデータを取得タイミング信号に従って取得して、ビット／ワード変換回路２６に出力する。
【００４９】
サンプリング信号生成回路２３は、マルチプレクサ回路１３の切替信号およびＡＤ変換回路１４のサンプリング信号ならびにデータ取得回路２５の取得タイミング信号を生成する。
【００５０】
ビット／ワード変換回路２６は、データ取得回路２５で取得された１ビットずつのバイナリーデータについて、所定ビットのワードデータ（信号組データ）に変換する所定のワード変換処理を実行してメモリ２１に格納する。ワード変換処理については後述する。
【００５１】
伝送フォーマット化回路２２は、メモリ２１に格納された電流または電圧のデジタルデータおよび所定のワード変換処理が施された接点信号であるバイナリーデータを、電力系統の状態を示すためのフォーマットに従う伝送用データに変換した後に通信部に出力する。伝送フォーマット化回路２２は、典型的には、電力系統から収集される電流信号または電圧信号ならびに接点信号をサンプリング周期毎に時系列に並べたシリアルデータに編集して出力する。
【００５２】
通信部は、ＥＯ（Electrical-to-Optical）変換回路１６、ステーションバス４４を介して時刻同期信号を受信する受信回路１８を含む。
【００５３】
ＥＯ変換回路１６は、伝送フォーマット化回路２２からのデジタルデータである電気信号を光信号に変換した後にプロセスバス４２を介しＩＥＤ２０に送信するための送信処理部に相当する。
【００５４】
ＡＤ変換回路１４のサンプルレートは、保護・制御用として要求されるレート（例えば８０ｆ、ｆは系統周波数）が用いられるものとする。ＡＤ変換回路１４には、このためのサンプリング信号がサンプリング信号生成回路２３から与えられる。
【００５５】
サンプリング信号生成回路２３は、受信回路１８で受信した時刻同期信号からマルチプレクサ回路１３の切替信号、サンプリング信号および取得タイミング信号を生成し、マルチプレクサ回路１３、ＡＤ変換回路１４およびデータ取得回路２５にそれぞれに出力する。
【００５６】
データ処理部１５では、ＡＤ変換回路１４から入力される時系列のデジタルデータおよび接点信号であるバイナリーデータは、メモリ２１に書込まれて所定期間分のデータが保存される。メモリ２１は、少なくとも所定期間分のデータを格納可能な記憶容量を有した一種のリングバッファであり、当該バッファに所定期間保存されたデータは順次古いデータから、ＡＤ変換回路１４から入力するデジタルデータの上書きにより更新される。すなわち、当該バッファでは、データは書込まれてから常に所定期間保存された後に、更新される。
【００５７】
なお、上記機能は、フィールドプログラマブルゲートアレイ（ＦＰＧＡ）、マイクロプロセッサ、デジタル信号プロセッサ、特定用途向け集積回路（ＡＳＩＣ）、または本明細書に記載の機能を実行可能な、任意の他の特定用途向けの機械構成等、種々の形式のいずれかに基づいて実現することが可能である。また、ソフト／ハードの任意の種々の形式を採用することも可能である。
【００５８】
［１．３  伝送用データの構成］
図３は、本実施の形態１に従う伝送用データ５０のフレーム構造を説明する図である。
【００５９】
図３を参照して、ここでは、所定のプロトコルに従ってプロセスバス４２を介して送信される伝送用データ５０のフレーム構造が示されている。本例においては、一例として、非特許文献１に示されるガイドラインで規定されている伝送用データについて説明する。
【００６０】
伝送用データ５０は、フレーム送信の開始を認識させ、同期をとるタイミングを与えるための信号であるプリアンブル５１、宛先となるＭＡＣアドレスが設定される送信先アドレス５２、送信元となるＭＡＣアドレスが設定される送信元アドレス５３、優先度に関する優先度タグ５４、伝送する通信プロトコルの種類を示す識別子（ＩＤ）を設定するタイプ５６、アプリケーションＩＤを指定するＡＰＰＩＤ５７、リザーブ領域であるリザーブ５８、アプリケーションプロトコルデータユニット（ＡＰＤＵ）５９、フレームのエラーを検出するためのＣＲＣ（Cyclical（Cyclic）Redundancy Check）値が設定されるフレームチェック用データ６０で構成されている。
【００６１】
なお、当該構造は一般的なものであり、プロトコルが異なることによりフレーム構造は適宜変更することが可能である。
【００６２】
図４は、本実施の形態１に従うＡＰＤＵ５９のデータ構造の一例を説明する図である。
図４を参照して、ＡＰＤＵ５９を構成するアプリケーションサービスデータユニット（ＡＳＤＵ）の一例を説明する図である。
【００６３】
具体的には、ＡＰＤＵ５９は、当該データ構造の構成が記述されたヘッダ部６２と、一例として８個（８チャンネル）のＡＳＤＵ６４とで構成されている場合が示されている。
【００６４】
各チャンネルのＡＳＤＵ内には、複数セットのデータ群を格納することが可能であるものとする。一例として、１セットとして３２ビットのデータ群（ワード）を格納することが可能であるものとする。
【００６５】
そして、ここでは、１つ目（１チャンネル）のＡＳＤＵ１に対して、アナログ信号（ＡＩ−１（ｔ）〜ＡＩ−８（ｔ））を割り当てて格納し、２つ目（２チャンネル）のＡＳＤＵ２に対して、接点信号（ＤＩ−１（ｔ）〜）を割り当てて格納する場合が示されている。
【００６６】
ここで、ＡＳＤＵ２に格納されるデータとしては、ビット／ワード変換回路２６によりワード変換されたワードデータが格納される。
【００６７】
読み取られた接点信号であるバイナリーデータは、ビット/ワード変換回路２６で１ビットずつの信号から複数ビットで構成されるワードデータ（信号組データ）へ変換される。
【００６８】
具体的には、ビット／ワード変換回路２６は、アナログ信号（ＡＩ）のデータ長が３２ビットの場合には、デジタル信号（ＤＩ）のデータ長もそれに合わせて３２ビットとなるように１ワードのビット長を設定する。なお、本例においては、データ処理を容易にするべくアナログ信号のデータ長に合わせて、接点信号であるバイナリーデータについて１ワードのビット長（３２ビット）に設定する場合について説明するが、特に１ワードのビット長に設定する必要はなく、必要に応じてビット長を適切な長さに調整可能であり、接点信号である１ビットずつの信号から複数ビットで構成される１組の信号組データに変換できる構成であればどのような構成であってもよい。
【００６９】
複数のＤＩＦ回路１９（複数のチャンネル）からの出力を順番にＤＩ−１  ０番〜ＤＩ−１  ３１番までのビットを並べると、あたかも１つのアナログデータと同様に扱うことが可能である。
【００７０】
ビット／ワード変換回路２６において、複数のＤＩＦ回路１９に入力される複数の接点信号（デジタル信号）のチャンネル数に合わせて必要なワード変換後のデータＤＩ−１〜ＤＩ−ｍ（ｍは、必要なデジタル信号のチャンネル数を３２で割った値を切り上げたものに相当する）が決定される。
【００７１】
そして、その後、これらのデータがメモリ２１にその時の時刻データとして記録される。
【００７２】
そして、メモリ２１に格納されたデータがアナログデータと同様に扱われて、伝送フォーマット化回路２２において伝送用データに含められる。
【００７３】
ここで、データ取得回路２５においては、サンプリング信号生成回路２３からの取得タイミング信号でＤＩＦ回路１９の信号が読み取られる。この取得タイミング信号は、ＡＤ変換のサンプリング信号と同期を採ることが可能である。
【００７４】
一方で、当該サンプリング信号と取得タイミング信号を同一にする必要はなく、例えば、デジタル情報の時間分解能として必要な周期での信号となるようにＡＤ変換のサンプリング周期の整数倍で設定するようにしてもよい。例えば、ＡＤ変換のサンプリング周期が系統の定格周波数の８０倍であるとすると、定格周波数が５０Ｈｚの場合、４０００Ｈｚでのサンプリング周波数に設定される。デジタル情報の時間分解能の要求値が１ｍｓとすれば、取得タイミング信号の周期は１０００ＨｚでよいためＡＤ変換のサンプリング周期の４回に１回の割でバイナリーデータを取得するように構成してもよい。
【００７５】
当該場合には、伝送用データのアナログデータの４時刻データ毎に、アナログデータと共に送信される接点信号であるバイナリーデータの値が更新されることになる。
【００７６】
本例のマージングユニットにおいては、電流、電圧入力のデジタル変換後のアナログデータと同様に接点信号であるバイナリーデータをアナログデータと同期したタイミングで取得して、アナログデータ長に合わせてワード変換することでアナログデータと同様に伝送用データに含めて伝送することが可能である。
【００７７】
なお、ＩＥＤ２０側においては、接点信号であるバイナリーデータを伝送用データから復元するのに必要な情報を予め設定しておく必要がある。具体的には、ワードデータのビットと開閉器の接点信号との対応付けを予めＩＥＤ２０側で設定しておく必要がある。
【００７８】
そして、ＩＥＤ２０側では、伝送用データ受信後、接点信号であるバイナリーデータについては、ワードデータを構成する各ビットデータについて、ビット/フラグ変換するなどしてこれらのデータを扱いやすい形式に変換して、演算を行うようにすれば良い。
【００７９】
つまり、伝送フォーマットとして接点信号であるバイナリーデータをアナログデータと同様に取り扱うことが可能であり、バイナリーデータをステータス（状態）情報の形でＩＥＤへ伝送することが可能であるため、Goose信号のように状態変化した時だけ送信するために必要な不揮発性メモリを使ったラッチ等の処理をする必要が無くなるため取扱が容易となるというメリットもある。
【００８０】
なお、本実施例では、バイナリーデータをアナログデータ長である３２ビットワードに変換する方法として３２個のバイナリーデータを並べる方法を記載したが、１ビットのバイナリーデータをより信頼性を上げるために例えばバイト（８ビット）単位で４個並べて３２ビットとしてもよく、アナログデータと同じデータ長に構成する点に特徴がある。
【００８１】
また、接点信号であるバイナリーデータをGoose信号を用いて送信する必要が無くなるため、障害が生じた場合にGoose信号が一斉に送信される事態を回避することが可能である。すなわち、定常的に接点信号であるバイナリーデータが送信されるため急激な通信負荷の変動に伴う通信トラフィック上の問題も生じることもない。また、接点信号であるバイナリーデータを定常的に取得することが可能であるためイベントが生じた場合にその状態を監視するのではなく、定常的に開閉器等の状態を容易に監視することが可能である。
【００８２】
［２．実施の形態２]
本実施の形態２では、保護制御システム１に適用されるマージングユニットの他の構成例について説明する。保護制御システム１のマージングユニット１０Ａを除く他の構成については、実施の形態１の図１と同様である。
【００８３】
図５は、本実施の形態２に従うマージングユニット１０Ａの構成図である。
図５を参照して、図５のマージングユニット１０Ａは、図２のマージングユニット１０と比較して、ビット／ワード変換回路２６をビット／ワード変換回路２６Ａに置換した点と、ステーションバス４４を介してＩＥＤ２０等との間でデータを送受信するＥＯ／ＯＥ変換回路３０をさらに設けた点が異なる。そして、ＥＯ／ＯＥ変換回路３０とビット／ワード変換回路２６Ａとは接続されている。
【００８４】
マージングユニット１０Ａの他の構成は、マージングユニット１０のそれと同様であるから、ここでは相違点を中心に説明する。
【００８５】
ビット／ワード変換回路２６Ａは、変換情報生成部３２を含む。
変換情報生成部３２は、接点信号であるバイナリーデータに関して、所定ビットのワードデータに変換して伝送用データに含める一連の方式に関連する変換情報を生成する。具体的には、ビット／ワード変換回路２６Ａにおける所定ビットのワードデータの変換に関する情報を変換情報として含めることが可能である。また、それ以外の伝送フォーマット化に関連する情報も変換情報に含めることも可能である。当該変換情報は、ＩＥＤ２０側において伝送用データから接点信号であるバイナリーデータを復元するために必要な情報である。
【００８６】
ＥＯ／ＯＥ変換回路３０は、ＩＥＤ２０等からの要求信号を受信するＯＥ（Optical-to-Electrical）変換機能を有するとともに、ＩＥＤ２０などへ当該要求信号に対するデータ（変換情報）を送信するためのＥＯ変換機能を有する。
【００８７】
図６は、本実施の形態２に従うＩＥＤ２０の変換情報の取得処理を説明するフロー図である。なお、当該処理は、ＩＥＤ２０が起動した際に実行しても良いし、所定期間毎に実行するようにしても良い。
【００８８】
図６を参照して、まず、ＩＥＤ２０は、データ通信するマージングユニット１０Ａからの変換情報を有しているかどうかを判断する（ステップＳ２）。
【００８９】
ステップＳ２において、ＩＥＤ２０は、データ通信するマージングユニット１０Ａからの変換情報を有していないと判断した場合（ステップＳ２においてＮＯ）には、データ通信するマージングユニット１０Ａに対して変換情報を送信するように要求信号を送信する（ステップＳ４）。ＩＥＤ２０からマージングユニット１０Ａに対して送信された当該要求信号は、ステーションバス４４を介してマージングユニット１０ＡのＥＯ／ＯＥ変換回路３０で受信する。
【００９０】
そして、マージングユニット１０Ａのビット／ワード変換回路２６Ａは、ＥＯ／ＯＥ変換回路３０を介して受信した要求信号に応答して変換情報生成部３２で生成した変換情報をＩＥＤ２０に対して送信する。具体的には、ＥＯ／ＯＥ変換回路３０は、変換情報をステーションバス４４を介してＩＥＤ２０に送信する。
【００９１】
これにより、ＩＥＤ２０は、データ通信するマージングユニット１０Ａからの変換情報を取得して、当該変換情報に基づき伝送用データから接点信号であるバイナリーデータを復元するための設定処理を実行する（ステップＳ６）。
【００９２】
そして、処理を終了する（エンド）。
一方、ステップＳ２において、データ通信するマージングユニット１０Ａからの変換情報を有していると判断した場合には、ステップＳ４およびステップＳ６の処理をスキップして処理を終了する。変換情報を要求する必要は無いからである。なお、変換情報が更新されていたり変更されている可能性も考えられるためステップＳ２において、変換情報を有していると判断した場合であっても、所定期間が経過している場合には、ステップＳ４およびステップＳ６の処理を実行するようにしても良い。
【００９３】
なお、変換情報をステーションバスを介して通信するようにしたが、変換情報の通信がプロセスバス４２での電流・電圧情報や開閉器情報の通信に対して余裕があり、問題がない場合には、プロセスバス４２を介して通信することもできる。
【００９４】
図７は、本実施の形態２に従う変換情報のデータを説明する図である。
図７を参照して、ここでは、変換情報８０のデータの本体構造が示されており、データの先頭部分に設けられるＩＥＤ２０等とのデータ通信に必要なヘッダ情報等については省略している。
【００９５】
ここでは、伝送用データのフォーマット上における接点信号であるバイナリーデータの配置情報８１（例えば、どのチャンネルのＡＳＤＵが用いられて接点信号であるバイナリーデータが格納されているのかを識別できる情報）や、ワード長８２（ビット／ワード変換回路によって変換されたビットの個数に関するデータ）、更新周期８３（取得タイミング信号の周期に関する情報）、総ビット数８４（接点信号であるバイナリーデータの個数）、ビット配列８５（最下位ビットＬＳＢから順番に最上位ビットＭＳＢに配列することを示す情報あるいは折り返しの配列を示す情報）等、その他ＩＥＤ２０側において、接点信号であるバイナリーデータを伝送用データから復元するのに必要な情報を含めるようにしても良い。
【００９６】
当該処理により、マージングユニット１０Ａに入力された接点信号であるバイナリーデータを伝送用データから復元するためにＩＥＤ２０側で設定する必要がないというメリットと共に、設定誤りなどの問題を解消できるメリットもある。
【００９７】
［３．実施の形態２の変形例］
本実施の形態２の変形例では、保護制御システム１に適用されるマージングユニットのさらに別の構成例について説明する。保護制御システム１のマージングユニット１０Ｂを除く他の構成については、実施の形態１の図１と同様である。
【００９８】
上記の実施の形態２に従うマージングユニット１０Ａにおいては、マージングユニット１０Ａ側において、ビット／ワード変換回路において実行する変換処理に関する変換情報を生成して、ＩＥＤ２０等へ送信する構成について説明した。
【００９９】
本実施の形態２の変形例では、マージングユニット１０Ａが当該変換情報を生成するのではなく、外部から当該変換情報が入力される構成について説明する。
【０１００】
図８は、本実施の形態２の変形例に従うマージングユニット１０Ｂの構成図である。
図８を参照して、図８のマージングユニット１０Ｂは、図２のマージングユニット１０と比較して、デジタルデータ設定部３３と、ステーションバス４４を介してＩＥＤ２０等からの変換情報を受信するためのＯＥ変換機能を有するＯＥ変換回路３４とをさらに設けた点が異なる。そして、ＯＥ変換回路３４とビット／ワード変換回路２６とは接続されている。
【０１０１】
マージングユニット１０Ｂの他の構成は、マージングユニット１０のそれと同様であるから、ここでは相違点を中心に説明する。
【０１０２】
ＯＥ変換回路３４は、ＩＥＤ２０等からの変換情報を受信するＯＥ（Optical-to-Electrical）変換機能を有する。
【０１０３】
ＯＥ変換回路３４は、受信した変換情報をデジタルデータ設定部３３に出力する。
なお、変換情報の一例としては、図７で説明した変換情報８０を利用することが可能である。
【０１０４】
デジタルデータ設定部３３は、当該受信した変換情報８０に基づいて接点信号であるバイナリーデータをワードデータに変換して伝送用データに含める上記の方式に関連する各種のパラメータを調整する指示を出力する。
【０１０５】
具体的には、デジタルデータ設定部３３は、配置情報に基づいてビット／ワード変換回路２６で処理されたワードデータを伝送用データの所定位置に配置するように伝送フォーマット化回路２２に指示する。なお、デジタルデータ設定部３３は、総ビット数やビット配列に関する情報に基づいて伝送フォーマット化回路２２に対して伝送用データの接点信号であるバイナリーデータの構成に関して適切な形式となるように指示するようにしても良い。
【０１０６】
また、デジタルデータ設定部３３は、ワード長に基づいてビット／ワード変換回路２６に対して当該指定されたワード長となるように変換処理するように指示する。また、デジタルデータ設定部３３は、更新周期に基づいてサンプリング信号生成回路２３に対して生成する取得タイミング信号の周期を調整するように指示する。
【０１０７】
なお、変換情報には、図７で説明した各種パラメータが全て含まれている必要はなく、少なくとも１つを含むようにしても良い。また、変換情報は、図７で説明したものに限られず、他の変換に必要な情報が含まれていても良い。
【０１０８】
なお、本実施の形態２および変形例においては、変換情報の遣り取りとしてステーションバス４４を介してデータを送信あるいは受信する構成について説明した。すなわち、ＯＥ変換回路あるいは、ＥＯ／ＯＥ変換回路を用いた例について説明したが、特にステーションバス４４ではなく、プロセスバス４２での電流・電圧情報や開閉器情報の通信に対して余裕があり、通信に問題が無い場合には、プロセスバス４２を介してデータを送信あるいは受信するための通信インタフェースを用いて当該変換情報の遣り取りを実行するようにしても良い。
【０１０９】
なお、ステーションバス４４の場合には、ＩＥＤ２０から変換情報が送信される場合に限られず変電所自動化システム装置４６や遠方監視制御装置２８から当該変換情報がステーションバス４４を介してマージングユニット１０Ｂに対して送信されるようにしても良い。
【０１１０】
当該構成とすることにより、このようにすれば、ＩＥＤ側で最適となる変換処理のパラメータの調整が可能であるというメリットがある。一方、複数のＩＥＤが同じマージングユニットのデータを使用する場合には、どのＩＥＤからの設定を優先するのか等の設定が必要となるためマージングユニットとＩＥＤとの対応関係が１対１である場合に当該方式はより好ましい形態として用いることが可能である。
【０１１１】
なお、上記においては、主に、開閉器の接点情報のデータ送信について主に説明したが、特に当該開閉器の接点情報以外の情報も同様にして送信することも可能である。具体的には、アナログ信号の設定情報（例えば、ＣＴ比、ＰＴ比等、マージングユニットでのアナログデータの設定でＩＥＤ側でも必要な情報等）も同様にして伝送してもよい。
【０１１２】
［４．実施の形態３］
実施の形態１においては、ＩＥＤ２０側でワードデータのビットと開閉器の接点信号との対応付けを予め設定する場合について説明した。
【０１１３】
本実施の形態３においては、当該設定を容易にする方式について説明する。
IEC61850-6では変電所構成言語(ＳＣＬ)が定義されている。当該変電所構成言語（ＳＣＬ）を用いて、変電所等の保護制御システムの設計等をサポートすることが可能である。具体的には、変電所の形式的な仕様を論理ノードの単線図と機能で記述するシステム仕様記述ファイル（ＳＳＤファイル）や、変電所自動化システム装置に使われるＩＥＤの論理ノードとサポートされる通信サービスの機能を表すＩＥＤ機能記述ファイル（ＩＣＤファイル）等を用いて保護制御システムを設計するシステム構成ツールが利用されている。
【０１１４】
当該システム構成ツールを利用してＩＥＤの機能を設定することが可能である。
図９は、本実施の形態３に従うシステム構成の設計の概念を説明する図である。
【０１１５】
図９を参照して、ここでは、ステーションバス４４にＩＥＤ２０と設定装置７０とが接続された構成が示されている。設定装置７０は、上記のシステム構成ツールが格納された装置であり、当該設定装置７０によりＩＥＤ２０の機能を設定するためのファイルであるＩＥＤ設定ファイルを作成することが可能である。
【０１１６】
そして、設定装置７０は、設定されたＩＥＤ設定ファイル７２をＩＥＤ２０に送信する。
【０１１７】
ＩＥＤ２０は、設定装置７０から送信されたＩＥＤ設定ファイル７２に従いデータ通信することが可能なマージングユニット１０を認識する。本例においては、一例として識別子「００１」のマージングユニット１０が設けられており、当該マージングユニット１０とデータ通信する構成が示されている。なお、マージングユニット１０とステーションバス４４を介してデータ通信しても良いし、上記で説明したプロセスバス４２を介してデータ通信することも可能である。
【０１１８】
また、ＩＥＤ設定ファイル７２には、一例としてＩＥＤ２０が上述した予め設定されたリレー演算ロジックに従って制御する遮断器６等の情報も含まれている。なお、当該ファイルには、遮断器６に限られずＩＥＤ２０が制御する電力系統に設けられた開閉器の情報が含まれる。なお、当該遮断器６等の接点信号についてはマージングユニット１０に入力される。
【０１１９】
本実施の形態３においては、さらに、設定装置７０からマージングユニット１０と開閉器との接続関係に関する情報であるＭＵ接続設定ファイル７４をさらに送信する。
【０１２０】
図１０は、本実施の形態３に従う設定装置７０の構成を示す模式図である。
図１０を参照して、設定装置７０は、基本的には、汎用パーソナルコンピュータで構成される。但し、専用のハードウェアとして実装してもよい。
【０１２１】
設定装置７０は、プロセッサ３０２と、ＲＡＭ３０４と、通信インターフェイス３０６と、ディスプレイ３０８と、入力部３１０と、データ保持部３２０とを含む。これらの各コンポーネントは、バス３３０を介して互いにデータ通信可能に接続されている。データ保持部３２０は、上述した保護制御システムを設計するためのシステム構成ツールと、ＭＵ接続設定ファイルを生成するための設定ツールとを含むツールプログラム３２２と、当該ツールプログラム３２２の実行により得られた設定ファイル３２４とを含む。当該設定ファイル３２４には、上記のＩＥＤ設定ファイル７２とともに、ＭＵ接続設定ファイル７４も含まれるものとする。
【０１２２】
なお、ツールプログラム３２２に含まれるシステム構成ツールは、既知のものでありＩＥＤ設定ファイル７２を生成することが可能である。
【０１２３】
プロセッサ３０２は、データ保持部３２０からツールプログラム３２２を読み出して、ＲＡＭ３０４に展開しつつ実行する。ツールプログラム３２２がプロセッサ３０２により実行されることで、保護制御システムを設計等するための設計動作が実現される。具体的には、当該保護制御システムを設計等するためのインターフェイス画面が提供される。
【０１２４】
なお、ツールプログラム３２２は、その実行に必要な処理をオペレーティングシステムが提供する共通モジュールを用いて実現する場合もある。すなわち、本実施の形態に従うプログラムとオペレーティングシステムとが協働して本実施の形態に従う処理を実現する場合であっても、本発明の技術的範囲に含まれ得る。
【０１２５】
通信インターフェイス３０６は、ステーションバス４４を介して、他の装置と接続するためのインターフェイスであり、マージングユニット１０およびＩＥＤ２０との間で、必要なデータを遣り取りする。
【０１２６】
ディスプレイ３０８は、ツールプログラム３２２の実行により生成されるインターフェイス画面等をユーザへ表示する表示デバイスである。入力部３１０は、キーボードやマウスなどを含み、ユーザからの操作を受け付ける。さらに、所定のデータをプリントアウトするためのプリンターが装着されていてもよい。なお、設定装置７０を新たに設けずに、例えば遠方監視制御装置２８等に当該機能を設けるようにすることも当然に可能である。
【０１２７】
図１１は、本実施の形態３に従うＭＵ接続設定ファイルを生成するための設定ツールを実行した場合にディスプレイ３０８に表示された設定ツール画面の一例である。上述したように当該設定ツールは、ツールプログラム３２２に含まれるものである。
【０１２８】
図１１を参照して、ここでは、設定ツール画面において、各種の開閉器およびマージングユニットおよびＩＥＤが模式化されたブロック形式で表示されている場合が示されている。ユーザは、入力部３１０を介して、当該インターフェイス画面において各種のブロックの接続を設計して、ＭＵ接続設定ファイルを設計することが可能であるものとする。
【０１２９】
ここでは、一例としてＩＥＤが制御するための電力系統に設けられた開閉器として、２つの断路器（ラインスイッチ）（ＬＳ１，ＬＳ２）と、遮断器（ＣＢ１）と、接地断路器（ＥＳ１，ＥＳ２）とが設けられている場合が示されている。
【０１３０】
そして、これら開閉器は、マージングユニット（ＭＵ）の端子（ＴＤＩ−１〜ＴＤＩ−５）にそれぞれ接続されている場合が示されている。
【０１３１】
具体的には、断路器ＬＳ１は、端子ＴＤＩ−１と接続されて接点信号が入力される。また、断路器ＬＳ２は、端子ＴＤＩ−５と接続されて接点信号が入力される。同様にして、遮断器ＣＢ１は、端子ＴＤＩ−３と接続されて接点信号が入力される。接地断路器ＥＳ１は、端子ＴＤＩ−２と接続されて接点信号が入力される。接地断路器ＥＳ２は、端子ＴＤＩ−４と接続されて接点信号が入力される。
【０１３２】
そして、当該設定ツール画面で設定したデータを実行することによりツールプログラム３２２は、開閉器とマージングユニット（ＭＵ）との接続関係を規定したＭＵ接続設定ファイル７４を生成する。
【０１３３】
図１２は、図１１の設定ツール画面において設定された開閉器とマージングユニット（ＭＵ）との接続関係を規定したＭＵ接続設定ファイル７４を説明する図である。
【０１３４】
図１２を参照して、上記の設定ツール画面で設定したデータを実行することによりツールプログラム３２２は、ＭＵ接続設定ファイル７４を生成する。なお、「ＤＩ−１・・・」の欄は説明を容易にするために設けたものであり当該情報が送信されるものではない。
【０１３５】
ここでは、ＭＵ接続設定ファイル７４において、マージングユニット（「００１」）の接続設定情報として、マージングユニット１０の端子名と開閉器とが対応付けられたテーブルが示されている。
【０１３６】
具体的には、端子ＴＤＩの１番目から順番に当該端子が対応付けられて接続される開閉器の種別が示されている。
【０１３７】
ここで、本実施の形態３においては、設定装置７０からＩＥＤ設定ファイル７２をＩＥＤ２０に送信することにより、当該ＩＥＤ２０が制御する開閉器およびマージングユニットに関する情報を取得することが可能であり、そして、当該ＭＵ接続設定ファイル７４をＩＥＤ２０に送信することにより、制御する開閉器の接点信号が制御するマージングユニットのどの端子に入力されるかに関する情報を取得することが可能である。
【０１３８】
これにより、例えば、端子ＴＤＩ−１〜ＴＤＩ−３１に入力される接点信号がワードデータとしてＤＩ−１（ｔ）（ＤＩ−１  ０番〜ＤＩ−１  ３１番までのビット）として伝送用データに含められてＩＥＤ２０から送信される場合には、その対応付けが容易となる。すなわち、ＤＩ−１  ０番のビットを参照することにより断路器ＬＳ１の接点信号の状態を取得することが可能である。他の例についても同様である。
【０１３９】
当該設定方式により、既存のシステム構成ツールを用いて生成されたＩＥＤ設定ファイルと開閉器とマージングユニット（ＭＵ）との接続関係を規定したＭＵ接続設定ファイルとに基づいて容易にＩＥＤ２０側においては、接点信号であるバイナリーデータを伝送用データから復元するのに必要な情報を設定することが可能となる。
【０１４０】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１４１】
１  保護制御システム、２  電力送電線、３  変圧器、４  供給線、５  母線、６  遮断器、７  変流器、８  計器用変圧器、１０，１０Ａ，１０Ｂ  マージングユニット、１１  入力変換回路、１２  アナログフィルタ回路、１３  マルチプレクサ回路、１４，ＡＤ変換回路、１５  データ処理部、１８  受信回路、２０  アナログデータ処理回路、２１  メモリ、２２  伝送フォーマット化回路、２３  サンプリング信号生成回路、２５  データ取得回路、２６，２６Ａ  ビット／ワード変換回路、２８  遠方監視制御装置、２９  遠方制御所、３２  変換情報生成部、３３  デジタルデータ設定部、４２  プロセスバス、４４  ステーションバス、４６  変電所自動化システム装置、７０  設定装置、３０２  プロセッサ、３０４  ＲＡＭ、３０６  通信インターフェイス、３０８  ディスプレイ、３１０  入力部、３２０  データ保持部、３２２  ツールプログラム、３３０  バス。
【図１】
2014166091.tif 000003
【図２】
2014166091.tif 000004
【図３】
2014166091.tif 000005
【図４】
2014166091.tif 000006
【図５】
2014166091.tif 000007
【図６】
2014166091.tif 000008
【図７】
2014166091.tif 000009
【図８】
2014166091.tif 000010
【図９】
2014166091.tif 000011
【図１０】
2014166091.tif 000012
【図１１】
2014166091.tif 000013
【図１２】
2014166091.tif 000014